(57)【要約】【課題】地上波を受信できない地域に対しＢＳ放送にて再送信される地上デジタル放送の放送信号を、リモコン装置の１回のキー操作でダイレクト選局することができ、しかも、ダイレクト選局用データを自動で作成できるテレビ放送受信装置を提供する。【解決手段】受信装置の動作モードがセーフティモードにあるとき、選局用のキー操作がなされると、ダイレクト選局用データの中から操作キーに対応した地上局若しくはＢＳチャンネルを抽出して、チューナに選局させる。ダイレクト選局用データは、受信装置にて受信可能な放送局を検出して、その放送局をキー番号と一緒に登録し、受信装置の設置地域が放送エリアであるにもかかわらず受信できない放送局があれば、その放送局が属するネットワークに対し衛星放送を利用して再送信される放送信号を選局するよう、その放送信号のＢＳチャンネルを選局用のキー番号と一緒に登録する、といった手順で生成する。【選択図】図５
2010268398.tif 000002
【特許請求の範囲】
【請求項１】
地上の放送局から送信されたテレビ放送電波の受信信号の中から、所定放送チャンネルの地上デジタル放送信号を選局する地上デジタル放送受信手段と、
人工衛星から送信されたテレビ放送電波の受信信号の中から、所定放送チャンネルの衛星デジタル放送信号を選局する衛星デジタル放送受信手段と、
遠隔操作用のリモコン装置を含む操作部からの選局指令に従い、前記地上デジタル放送受信手段及び前記衛星デジタル放送受信手段の何れか一方を動作させて、当該選局指令に対応した放送種別及び放送チャンネルのデジタル放送信号を選局させる選局制御手段と、
を備えたテレビ放送信号受信装置であって、
前記選局制御手段は、前記操作部からの動作モード切換指令によって、自身の動作モードを、
前記リモコン装置に設けられた特定キーが操作されたときに、当該特定キーに割り当てられた放送種別及び放送チャンネルをダイレクト選局用データから読み出し、その読み出した放送種別及び放送チャンネルのデジタル放送信号を、前記地上デジタル放送受信手段又は前記衛星デジタル放送受信手段に選局させるダイレクト選局モード、
に設定可能に構成されており、
地上デジタル放送を行う全放送局と、各放送局がテレビ放送電波を送信する放送エリアと、各放送エリア内で各放送局をダイレクト選局するのに用いる特定キーとの関係を記述した放送局情報、及び、地上デジタル放送を行う放送局の中でネットワークを構成している系列局と、その系列局のテレビ放送の受信不能エリアに対し人工衛星を利用して行われる受信対策用衛星放送の放送チャンネルとの関係を記述したセーフティネット情報、が記憶された記憶手段と、
前記操作部を介して前記ダイレクト選局用データの生成指令が入力されると、前記地上デジタル放送受信手段に地上デジタル放送の各放送チャンネルを選局させることにより、当該テレビ放送信号受信装置で実際に受信可能な地上デジタル放送の放送局を抽出する受信可能放送局抽出手段と、
前記記憶手段に記憶された放送局情報に基づき、放送エリア内に当該テレビ放送信号受信装置の設置位置が含まれる全放送局を抽出し、その抽出した放送局の中に、前記受信可能放送局抽出手段にて抽出された受信可能放送局とは異なる受信不能放送局が存在するか否かを判断する判定手段と、
前記判定手段にて、前記受信不能放送局が存在すると判断されると、前記記憶手段に記憶されたセーフティネット情報の中から、当該受信不能放送局が属するネットワークの系列局に対して行われる受信対策用衛星放送の放送チャンネルを抽出する衛星放送チャンネル抽出手段と、
前記受信可能放送局抽出手段にて抽出された受信可能放送局をダイレクト選局するのに用いる特定キーのキー番号を、前記記憶手段に記憶された放送局情報から読み出し、その読み出したキー番号に関連づけて受信可能放送局を登録すると共に、前記衛星放送チャンネル抽出手段にて前記受信不能放送局が属するネットワークの系列局に対して行われる受信対策用衛星放送の放送チャンネルが抽出されると、前記記憶手段に記憶された放送局情報の中から、当該受信不能放送局に対しダイレクト選局用として割り当てられている特定キーのキー番号を読み出し、その読み出したキー番号と前記衛星放送チャンネル抽出手段にて抽出された受信対策用衛星放送の放送チャンネルとを関連づけて登録することにより、前記ダイレクト選局用データを生成するダイレクト選局用データ生成手段と、
を備えたことを特徴とするテレビ放送信号受信装置。
【発明の詳細な説明】
【技術分野】
【０００１】
本発明は、地上デジタル放送の放送電波が届かない地域で地上デジタル放送を視聴できるようにするために、人工衛星から衛星デジタル放送の放送電波を利用して再送信される地上デジタル放送の放送信号を受信するのに好適なテレビ放送受信装置に関する。
【背景技術】
【０００２】
現在、地上波を使ったテレビ放送は、地上アナログ放送と地上デジタル放送との２方式で行われているが、２０１１年には地上アナログ放送が廃止され、その後は、地上デジタル放送だけで地上波を使ったテレビ放送が行われる。
【０００３】
一方、地上アナログ放送が終了する迄に、地上デジタル放送の放送電波が国内全域に届くようにすることは難しく、地上アナログ放送が終了してから、地上デジタル放送用の中継局等が設置されて、地上デジタル放送の放送電波が届くようになるまで、地上波を使ったテレビ放送を視聴できなくなる地域が発生する。
【０００４】
そこで、このような地域に対しては、地上デジタル放送の電波が届くようになるまで、放送衛星（ＢＳ）を使って地上デジタル放送の放送チャンネルを再送信する、所謂セーフティネットが実施される。
【０００５】
このセーフティネットは、関東広域圏でテレビ放送を行っていて、他の地域の放送局とネットワークを構成しており、しかも、各ネットワークのキー局となる日本放送協会（ＮＨＫ）と民放５局とで行われている地上デジタル放送７チャンネル分（ＮＨＫ総合／教育の２チャンネル分＋民放５局の各１チャンネル分）の放送信号を、ＢＳデジタル放送の特定チャンネル（具体的には第１７チャンネル）を使って同時再送信する、というものである。
【０００６】
また、このセーフティネットは、地上デジタル放送の放送電波が届かない対象地域に、ＢＳデジタル放送を利用して地上デジタル放送の放送信号を配信することにより、難視聴対策を行うものであるため、放送衛星（ＢＳ）から再送信される上記７チャンネル分の放送信号にはスクランブルがかけられる。
【０００７】
そして、対象地域では、テレビ放送受信装置の使用者がセーフティネットの管理者に、スクランブルの解除コードの配布を申請することにより、スクランブルの解除コードがテレビ放送受信装置に配信される。
【０００８】
このため、その後、使用者が、受信不能チャンネルの地上テレビ放送を視聴したいときには、テレビ放送受信装置に、その受信不能チャンネルに対応したＢＳデジタル放送の特定チャンネルを選局させればよい。つまり、このようにすれば、テレビ放送受信装置にて、受信不能チャンネルのキー局の放送データが復元され、使用者は、受信不能チャンネルに対応した地上デジタル放送を視聴できるようになる。
【０００９】
ところで、このように、セーフティネットを利用して地上デジタル放送を視聴するには、テレビ放送受信装置に対し、ＢＳ放送の選局チャンネルとして、視聴したい地上デジタル放送の放送信号を再送信しているＢＳ放送の放送チャンネルを指定する必要がある。そして、このように、ＢＳ放送の放送チャンネルを指定するには、テレビ放送受信装置をＢＳ放送の受信モードに設定した後、３桁のチャンネル番号を入力する必要があるため、セーフティネット選局時の選局操作が面倒であるという問題があった。
【００１０】
一方、テレビ放送受信装置には、使用者が、遠隔操作用のリモコン装置（リモートコントロール装置）に設けられた特定キー（数字キー等）を操作した際、その特定キーに対応した放送チャンネルのテレビ放送信号が自動で選局されるようにするため、使用者が、リモコン装置の特定キーと、選局すべきテレビ放送信号の放送チャンネルとの対応関係を手動で登録できるようにしたものが知られている（例えば、特許文献１等参照。）
そして、この種のテレビ放送受信装置では、選局すべきテレビ放送信号の放送チャンネル（つまり選局チャンネル）を、リモコン装置の特定キーに割り当てることができることから、この機能を利用して、リモコン装置の特定キーに、セーフティネットで地上デジタル放送の放送信号を再送信させるＢＳ放送の放送チャンネルを割り当てるようにすれば、リモコン装置に設けられた一つの特定キーを操作することにより、セーフティネットで再送信される地上デジタル放送を簡単に選局させることができる。
【先行技術文献】
【特許文献】
【００１１】
【特許文献１】特開２００２−４４５３７号公報
【発明の概要】
【発明が解決しようとする課題】
【００１２】
しかし、上記テレビ放送受信装置では、リモコン装置の特定キーに、ＢＳ放送の放送チャンネルを手動で割り当てる必要があるため、その割り当て時には、使用者は、上述した３桁のチャンネル番号を入力しなければならず、特に、セーフティネットを利用して複数の地上デジタル放送を受信できるようにする場合には、その複数の地上デジタル放送毎に、ＢＳ放送の放送チャンネルを手動で割り当てる必要があるため、その割り当て時の操作が面倒であるという問題がある。
【００１３】
また、リモコン装置において、セーフティネットで利用されるＢＳ放送の放送チャンネルが割り当てられるキー（特定キー）には、使用者が任意のキーを設定できるものの、その選択したキー（特定キー）と地上デジタル放送の放送チャンネルとの関係は、使用者固有のものとなる。
【００１４】
このため、テレビ放送受信装置が複数人で使用される場合等には、テレビ放送受信装置に、リモコン装置の特定キーと地上デジタル放送の放送チャンネルとの関係を記述したメモをリモコン装置に添付する必要があり、その情報管理が面倒になるという問題もある。
【００１５】
本発明は、こうした問題に鑑みなされたものであり、地上デジタル放送の受信対策のために衛星放送を利用して再送信される地上デジタル放送の放送信号を、リモコン装置の特定キーを介して簡単に選局でき、しかも、その特定キーと衛星放送の放送チャンネルとの関連づけを自動で行うことのできるテレビ放送受信装置を提供することを目的とする。
【課題を解決するための手段】
【００１６】
かかる目的を達成するためになされた請求項１に記載の発明は、
地上の放送局から送信されたテレビ放送電波の受信信号の中から、所定放送チャンネルの地上デジタル放送信号を選局する地上デジタル放送受信手段と、
人工衛星から送信されたテレビ放送電波の受信信号の中から、所定放送チャンネルの衛星デジタル放送信号を選局する衛星デジタル放送受信手段と、
遠隔操作用のリモコン装置を含む操作部からの選局指令に従い、前記地上デジタル放送受信手段及び前記衛星デジタル放送受信手段の何れか一方を動作させて、当該選局指令に対応した放送種別及び放送チャンネルのデジタル放送信号を選局させる選局制御手段と、
を備えたテレビ放送信号受信装置であって、
前記選局制御手段は、前記操作部からの動作モード切換指令によって、自身の動作モードを、
前記リモコン装置に設けられた特定キーが操作されたときに、当該特定キーに割り当てられた放送種別及び放送チャンネルをダイレクト選局用データから読み出し、その読み出した放送種別及び放送チャンネルのデジタル放送信号を、前記地上デジタル放送受信手段又は前記衛星デジタル放送受信手段に選局させるダイレクト選局モード、
に設定可能に構成されており、
地上デジタル放送を行う全放送局と、各放送局がテレビ放送電波を送信する放送エリアと、各放送エリア内で各放送局をダイレクト選局するのに用いる特定キーとの関係を記述した放送局情報、及び、地上デジタル放送を行う放送局の中でネットワークを構成している系列局と、その系列局のテレビ放送の受信不能エリアに対し人工衛星を利用して行われる受信対策用衛星放送の放送チャンネルとの関係を記述したセーフティネット情報、が記憶された記憶手段と、
前記操作部を介して前記ダイレクト選局用データの生成指令が入力されると、前記地上デジタル放送受信手段に地上デジタル放送の各放送チャンネルを選局させることにより、当該テレビ放送信号受信装置で実際に受信可能な地上デジタル放送の放送局を抽出する受信可能放送局抽出手段と、
前記記憶手段に記憶された放送局情報に基づき、放送エリア内に当該テレビ放送信号受信装置の設置位置が含まれる全放送局を抽出し、その抽出した放送局の中に、前記受信可能放送局抽出手段にて抽出された受信可能放送局とは異なる受信不能放送局が存在するか否かを判断する判定手段と、
前記判定手段にて、前記受信不能放送局が存在すると判断されると、前記記憶手段に記憶されたセーフティネット情報の中から、当該受信不能放送局が属するネットワークの系列局に対して行われる受信対策用衛星放送の放送チャンネルを抽出する衛星放送チャンネル抽出手段と、
前記受信可能放送局抽出手段にて抽出された受信可能放送局をダイレクト選局するのに用いる特定キーのキー番号を、前記記憶手段に記憶された放送局情報から読み出し、その読み出したキー番号に関連づけて受信可能放送局を登録すると共に、前記衛星放送チャンネル抽出手段にて前記受信不能放送局が属するネットワークの系列局に対して行われる受信対策用衛星放送の放送チャンネルが抽出されると、前記記憶手段に記憶された放送局情報の中から、当該受信不能放送局に対しダイレクト選局用として割り当てられている特定キーのキー番号を読み出し、その読み出したキー番号と前記衛星放送チャンネル抽出手段にて抽出された受信対策用衛星放送の放送チャンネルとを関連づけて登録することにより、前記ダイレクト選局用データを生成するダイレクト選局用データ生成手段と、
を備えたことを特徴とする。
【発明の効果】
【００１７】
本発明（請求項１に記載）のテレビ放送信号受信装置においては、使用者が操作部を介して動作モード切換指令を入力することにより、選局制御手段の動作モードを、ダイレクト選局モードに設定できる。
【００１８】
そして、動作モードがダイレクト選局モードに設定されているとき、選局制御手段は、リモコン装置に設けられた特定キーが操作されたときに、その特定キーに割り当てられた放送種別及び放送チャンネルをダイレクト選局用データから読み出し、その読み出した放送種別及び放送チャンネルのデジタル放送信号を、地上デジタル放送受信手段又は衛星デジタル放送受信手段に選局させる。
【００１９】
また、使用者が操作部を介してダイレクト選局用データの生成指令を入力すると、受信可能放送局抽出手段が、地上デジタル放送受信手段に地上デジタル放送の各放送チャンネルを選局させることにより、当該テレビ放送信号受信装置で実際に受信可能な地上デジタル放送の放送局を抽出する。
【００２０】
すると、判定手段が、記憶手段に記憶された放送局情報に基づき、放送エリア内に当該テレビ放送信号受信装置の設置位置が含まれる全放送局を抽出し、その抽出した放送局の中に、受信可能放送局抽出手段にて抽出された受信可能放送局とは異なる受信不能放送局が存在するか否かを判断する。
【００２１】
そして、この判定手段にて、受信不能放送局が存在すると判断されると、衛星放送チャンネル抽出手段が、記憶手段に記憶されたセーフティネット情報の中から、当該受信不能放送局が属するネットワークの系列局に対して行われる受信対策用衛星放送の放送チャンネルを抽出する。
【００２２】
また、ダイレクト選局用データ生成手段は、受信可能放送局抽出手段にて抽出された受信可能放送局をダイレクト選局するのに用いる特定キーのキー番号を、記憶手段に記憶された放送局情報から読み出し、その読み出したキー番号に関連づけて受信可能放送局を登録すると共に、衛星放送チャンネル抽出手段にて受信不能放送局が属するネットワークの系列局に対して行われる受信対策用衛星放送の放送チャンネルが抽出されると、記憶手段に記憶された放送局情報の中から、当該受信不能放送局に対しダイレクト選局用として割り当てられている特定キーのキー番号を読み出し、その読み出したキー番号と衛星放送チャンネル抽出手段にて抽出された受信対策用衛星放送の放送チャンネルとを関連づけて登録することにより、ダイレクト選局用データを生成する。
【００２３】
従って、本発明のテレビ放送信号受信装置によれば、選局制御手段の動作モードをダイレクト選局モードに設定して、リモコン装置にてダイレクト選局用に割り当てられている任意の特定キーを操作することにより、地上デジタル放送受信手段若しくは衛星デジタル放送受信手段に対し、その特定キーに対応した放送チャンネルの地上デジタル放送、若しくは、その地上デジタル放送に対応した受信対策用衛星放送を選局させることができる。
【００２４】
また、ダイレクト選局モードで使用される選局用の特定キーには、記憶手段に記憶された放送局情報にて規定された放送局、若しくは、その放送局が属するネットワークの系列局に対して行われる受信対策用の衛星放送が割り付けられることから、使用者は、所望放送チャンネルの地上デジタル放送を視聴する際、その放送チャンネルの地上デジタル放送が受信可能な否かに関わらず、その放送チャンネルに対応した特定キーを操作するだけで、所望放送チャンネルの地上デジタル放送若しくはその地上デジタル放送に対応した受信対策用の衛星放送を視聴できることになり、ダイレクト選局モードでの地上デジタル放送の選局操作を極めて簡単に行うことができる。
【００２５】
また、ダイレクト選局モードで選局用の特定キーに割り付けられる地上デジタル放送の放送チャンネルは、記憶手段に記憶された放送局情報にて規定できることから、放送局情報に記述する特定キーのキー番号と放送局（放送チャンネル）との関係を、一般的なテレビ放送受信装置で地上デジタル放送を選局するのに使用される選局用キーのキー番号と放送局（放送チャンネル）との関係に一致させておけば、他のテレビ放送受信装置と同様の選局動作で、地上デジタル放送と受信対策用の衛星放送とをダイレクト選局することができるようになり、リモコン装置の使い勝手を向上できる。
【図面の簡単な説明】
【００２６】
【図１】実施形態のテレビ放送受信装置全体の構成を表すブロック図である。
【図２】リモコン装置に設けられた選局指令用の各種操作スイッチを表す説明図である。
【図３】メモリに記憶された放送局情報及びセーフティネット情報を表す説明図である。
【図４】セーフモードで使用されるダイレクト選局用データを生成するために制御部にて実行される制御処理を表すフローチャートである。
【図５】図４の制御処理の実行過程で得られる受信可能局抽出結果（ａ）及び最終的に得られるダイレクト選局用データ（ｂ）を表す説明図である。
【発明を実施するための形態】
【００２７】
以下に本発明の実施形態を図面と共に説明する。
図１は、本発明が適用された実施形態のテレビ放送受信装置全体の構成を表すブロック図である。
【００２８】
図１に示すように、本実施形態のテレビ放送受信装置２には、地上の放送局から送信されてくるＵＨＦ帯のテレビ放送電波を受信するＵＨＦアンテナ４、及び、放送衛星（ＢＳ）及び通信衛星（ＣＳ）から送信されてくる衛星放送電波を受信し、その受信信号を中間周波数帯に周波数変換して出力する衛星受信アンテナ６（詳しくはオフセットパラボラアンテナ）、が接続されている。
【００２９】
そして、ＵＨＦアンテナ４からの受信信号は、地上デジタルチューナモジュール１０に入力され、衛星受信アンテナ６からの受信信号（詳しくは中間周波信号）は、ＢＳ／ＣＳチューナモジュール２０に入力される。
【００３０】
地上デジタルチューナモジュール１０は、選局制御手段としての制御部３０から入力される選局指令に従い、ＵＨＦアンテナ４から入力された受信信号の中から、所定放送チャンネルの地上デジタル放送信号を選局するものである。そして、地上デジタルチューナモジュール１０にて選局された地上デジタル放送信号は、データ復調部１２に入力されて、映像／音声等からなる放送データに変換され、制御部３０に入力される。
【００３１】
また、ＢＳ／ＣＳチューナモジュール２０は、制御部３０から入力される選局指令に従い、衛星受信アンテナ６から入力されたＢＳ／ＣＳの受信信号（詳しくは中間周波信号）の中から、所定放送チャンネルの衛星デジタル放送信号を選局するものである。そして、ＢＳ／ＣＳチューナモジュール２０にて選局された衛星デジタル放送信号は、データ復調部２２に入力されて、映像／音声等からなる放送データに変換され、制御部３０に入力される。
【００３２】
次に、制御部３０は、ＣＰＵ、ＲＯＭ、ＲＡＭ等を中心とするマイクロコンピュータ（以下、マイコンという）にて構成されている。そして、制御部３０には、後述の放送局情報やセーフティネット情報等が予め記憶されたメモリ３２が接続されている。
【００３３】
また、制御部３０には、上記各チューナモジュール１０、２０に選局させる放送種別（地上デジタル放送／ＢＳ放送／ＣＳ放送）を切り換えるための放送切換スイッチ３４（以下、スイッチをＳＷとも記載する）、上記各チューナモジュール１０、２０での選局チャンネルをＵＰ／ＤＯＷＮさせる２つのスイッチからなるチャンネル切換ＳＷ３６（図に示すＣＨはチャンネルの略）、及び、リモコン受信部３８が接続されている。
【００３４】
そして、制御部３０は、これら各ＳＷ３４、３６、若しくはリモコン受信部３８から入力される選局指令に従い、地上デジタルチューナモジュール１０若しくはＢＳ／ＣＳチューナモジュール２０を動作させて、所定放送チャンネルの地上デジタル放送、ＢＳ放送、若しくはＣＳ放送を選局させる選局制御を実行する。
【００３５】
また、制御部３０は、データ復調部１２、２２から入力された放送データを処理して、映像信号及び左右（Ｌ／Ｒ）の音声信号を生成し、その生成した映像信号及び音声信号を、各信号増幅用の映像信号出力部１４及び音声信号出力部１６、並びに、映像出力端子２４及び左右（Ｌ／Ｒ）の音声出力端子２６、２８を介して、外部装置（テレビ受像器等）に出力させる。
【００３６】
次に、リモコン受信部３８は、遠隔操作用のリモコン装置４０からの送信信号（赤外線等）を受信し、その受信信号から、リモコン装置４０側で操作されたＳＷを識別して、制御部３０に出力する周知のものである。
【００３７】
そして、リモコン装置４０には、当該テレビ放送受信装置２の電源ＳＷ、データ放送受信用の指令ＳＷ、青、赤、緑、黄色等のボタンからなる機能選択ＳＷ、番組表や受信可能チャンネル一覧表示用の表示指令ＳＷ等、各種指令を入力するための押しボタン式の操作ＳＷが設けられている。
【００３８】
また、リモコン装置４０には、選局指令入力用の操作スイッチとして、地上デジタル放送、ＢＳ放送、ＣＳ放送の何れかを選択するための３つの放送選択ＳＷ４１、４２、４３と、「１」〜「１２」までの数字を入力するための数字キーからなる数字キー群４５と、ＢＳ放送若しくはＣＳ放送の選局時に、選局チャンネルを、数字キー群４５を介して、チャンネル番号にて指定することを選択するためのチャンネル番号入力選択ＳＷ４６と、選局チャンネルをＵＰ／ＤＯＷＮさせるチャンネル切換ＳＷ４７と、動作モード切換ＳＷ４８とが設けられている。
【００３９】
この動作モード切換ＳＷ４８は、制御部３０による選局制御時の動作モードを、放送選択ＳＷ４１、４２、４３にて選択された一つの放送種別に対して選局動作を行うノーマルモードから、当該テレビ放送受信装置２の設置位置を放送エリアとする全ての放送局からの放送信号を受信できないときに、その受信不能放送局からの放送信号として、ＢＳ放送を使って配信されるキー局からの放送信号を選局するセーフティモードへ、或いは、その逆方向へと切り換えるためのものである。
【００４０】
つまり、本実施形態では、地上デジタル放送の受信対策のためにＢＳデジタル放送の空きチャンネルを利用してキー局からの地上デジタル放送信号を再送信するセーフティネットを利用する際、地上デジタル放送との放送種別の違いを意識することなく、地上デジタル放送の選局時と略同様の選局動作で、所望チャンネルの地上デジタル放送をダイレクト選局できるようにするために、セーフティモードを設定している。
【００４１】
そして、制御部３０は、選局制御時の動作モードがセーフティモードに設定されているときには、リモコン装置に設けられた数字キーの一つが操作されると、その数字キーにて特定される選局チャンネル（ＣＨ１〜ＣＨ１２）に割り当てられた放送局からの地上デジタル放送、若しくは、その放送局が属するネットワークでの受信対策のためにセーフティネットで配信される地上デジタル放送を、地上デジタルチューナモジュール１０若しくはＢＳ／ＣＳチューナモジュール２０に選局させる。
【００４２】
また、制御部３０をこのように動作させるために、メモリ３２には、セーフティモードでのダイレクト選局用データ（図５（ｂ）参照）が予め登録されており、制御部３０は、このダイレクト選局用データを用いて、地上デジタルチューナモジュール１０若しくはＢＳ／ＣＳチューナモジュール２０に選局させる地上デジタル放送信号の放送局若しくはＢＳ放送チャンネルを設定する。
【００４３】
また、制御部３０は、テレビ放送受信装置２の設置後、リモコン装置４０を介してダイレクト選局用データの生成指令が入力されると、ダイレクト選局用データを自動で生成し、その生成したダイレクト選局用データをメモリ３２に書き込む、ダイレクト選局用データ生成処理を実行する。
【００４４】
以下、このダイレクト選局用データ生成処理を、図４に示すフローチャートに沿って説明する。
なお、このダイレクト選局用データ生成処理を実行するに当たっては、メモリ３２に、図３（ａ）に例示する放送局情報と、図３（ｂ）に例示するセーフティネット情報とが、予め登録されているものとする。
【００４５】
ここで、放送局情報は、図３（ａ）に例示するように、地上デジタル放送を行う放送局の放送エリアに従い日本国内を区分した地域（県域等）毎に、その地域が放送エリアに含まれる放送局の局名やその放送局からの地上デジタル放送を地上デジタルチューナモジュール１０に選局させるのに必要な選局用データ（放送周波数等）からなる放送局選局情報を記述したものであり、各放送局選局情報には、その地域内で各放送局をダイレクト選局するのに利用するキー番号が、選局チャンネル情報として付与されている。
【００４６】
また、セーフティネット情報は、図３（ｂ）に例示するように、地上デジタル放送を行う放送局の中でネットワークを構成している系列局や、その系列局のキー局（上述した関東広域圏でテレビ放送を行っているＮＨＫ総合／教育の２局と民放５局）等が記述されたセーフティネット系列局情報と、キー局からの地上デジタル放送を放送衛星（ＢＳ）を使って再送信するのに用いられるＢＳ放送のチャンネル番号（ＢＳチャンネル）とから構成されている。
【００４７】
図４に示すように、ダイレクト選局用データ生成処理が開始されると、まずＳ１１０（Ｓはステップを表す）にて、地上デジタルチューナモジュール１０に対し、地上波放送（地上デジタル放送）の全放送帯域内で各放送チャンネルを順次選局させることにより、地上波放送全帯域をスキャンさせ、全帯域内で地上デジタル放送を選局可能な放送局を、受信可能局として抽出する。
【００４８】
そして、続くＳ１２０では、Ｓ１１０で抽出した受信可能局を、全て、ダイレクト選局用の放送局として、メモリ３２に記憶し、ダイレクト選局用データを生成する。なお、Ｓ１２０では、受信可能局として抽出された放送局をダイレクト選局用データに登録する際、図３（ａ）に示した放送局情報から、その放送局に対し設定されているダイレクト選局用の選局チャンネル情報（キー番号）を読み出し、その読み出した選局チャンネルと放送局の選局情報とを登録する。
【００４９】
この結果、例えば、図５（ａ）に例示するように、テレビ放送受信装置２の設置位置を放送エリア内に含む全放送局の内、選局チャンネル（キー番号）：２、３、５、６の放送局からの地上デジタル放送が受信可能（ＯＫ）で、選局チャンネル（キー番号）：１、４、１０の放送局からの地上デジタル放送が受信できない（ＮＧ）ときには、受信可能な選局チャンネル（キー番号）：２、３、５、６の放送局のみがダイレクト選局用データに登録され、受信不能な選局チャンネル（キー番号）：１、４、１０の放送局は、放送エリア内であってもダイレクト選局用データに登録されない。
【００５０】
次に、Ｓ１３０では、テレビ放送受信装置２の設置位置を放送エリア内に含む全放送局の中で、地上デジタル放送を受信できず（ＮＧ）、ダイレクト選局用データに登録されなかった放送局はあるか否かを判断する。
【００５１】
そして、Ｓ１３０にて、ダイレクト選局用データに登録されなかった放送局はないと判断されると、そのまま当該ダイレクト選局用データ生成処理を終了し、逆に、Ｓ１３０にて、ダイレクト選局用データに登録されなかった放送局があると判断されると、Ｓ１４０に移行する。
【００５２】
Ｓ１４０では、放送局情報に基づき、テレビ放送受信装置２の設置位置を放送エリア内に含む全放送局の中で、地上デジタル放送を受信できなかった放送局（換言すれば、ダイレクト選局用データに未登録の放送局）を抽出し、その放送局が属するネットワークのキー局からのテレビ放送信号をＢＳ放送を使って再送信するセーフティネットでの放送チャンネル（ＢＳチャンネル）を、図３（ｂ）に示したセーフティネット情報から読み出す。
【００５３】
そして、続くＳ１５０では、Ｓ１４０にて読み出したセーフティネットのＢＳチャンネルを、未登録の放送局（換言すれば受信不能放送局）に対するダイレクト選局用データとしてメモリ３２に記憶し、当該ダイレクト選局用データ生成処理を終了する。
【００５４】
なお、Ｓ１５０では、受信不能放送局に対する選局用データとしてＢＳチャンネルを登録する際には、図３（ａ）に示した放送局情報から、受信不能放送局に対し設定されているダイレクト選局用の選局チャンネル情報（キー番号）を読み出し、その読み出した選局チャンネル（キー番号）とＢＳ／ＣＳチューナモジュール２０に選局させるセーフティネットの受信チャンネル（ＢＳチャンネル）を登録する。
【００５５】
この結果、図５（ａ）に示したように、テレビ放送受信装置２の設置位置を放送エリア内に含む放送局の中に、当該テレビ放送受信装置２では受信できない受信不能放送局が存在したとしても、最終的に生成されるダイレクト選局用データは、図５（ｂ）に示すように、受信不能放送局に対応した選局チャンネル（キー番号）に、受信不能放送局が属するネットワークのキー局からの地上デジタル放送信号を再送信するセーフティネットのＢＳチャンネルが登録されたものとなる。
【００５６】
そして、セーフティモードでは、使用者がリモコン装置４０を操作し、ダイレクト選局用データに登録された選局チャンネル（キー番号）の数字キーを１回押下すれば、地上デジタルチューナモジュール１０若しくはＢＳ／ＣＳチューナモジュール２０にて、その選局チャンネルに対応した放送局からの地上テレビ放送信号、若しくは、その放送局が属するネットワークのキー局からの地上テレビ放送信号が選局されることになり、使用者は、その地上デジタル放送の放送信号を送信するのに利用された放送電波が地上波であるか衛星放送電波であるか（換言すれば放送種別）を意識することなく、極めて簡単な選局操作で、所望チャンネルの地上テレビ放送を視聴することができるようになる。
【００５７】
よって、本実施形態によれば、上記のように、セーフティモードでのダイレクト選局用データは、使用者がその生成指令を入力することにより、制御部３０にて自動で生成されることから、ＢＳ放送電波を使って再送信される地上デジタル放送を受信するために、テレビ放送受信装置の動作モードを、ＢＳ放送を受信するノーマルモードに設定して、ＢＳチャンネルを手動で入力する必要がなく、セーフティネットで配信される地上デジタル放送を受信するための操作を極めて簡単に行うことができる。
【００５８】
なお、本実施形態においては、地上デジタルチューナモジュール１０が、本発明の地上デジタル放送受信手段に相当し、ＢＳ／ＣＳチューナモジュール２０が、本発明の衛星デジタル放送受信手段に相当し、制御部３０が、本発明の選局制御手段に相当し、メモリ３２が、本発明の記憶手段に相当する。
【００５９】
また、制御部３０にて実行されるダイレクト選局用データ生成処理（図４）において、Ｓ１１０の処理は、本発明の受信可能放送局抽出手段に相当し、Ｓ１３０の処理は、本発明の判定手段に相当し、Ｓ１４０の処理は、本発明の衛星放送チャンネル抽出手段に相当し、Ｓ１２０及びＳ１５０の処理は、本発明のダイレクト選局用データ生成手段に相当する。
【００６０】
以上、本発明の一実施形態について説明したが、本発明は上記実施形態に限定されるものではなく、本発明の要旨を逸脱しない範囲内にて種々の態様をとることができる。
例えば、上記実施形態では、制御部３０における選局制御の動作モードを、放送種別毎に選局制御を行うノーマルモードから、セーフティモード（本発明のダイレクト選局モードに相当）に切り換えることによって、放送種別を区別することなく、地上波若しくはＢＳ放送で配信される地上デジタル放送の放送信号を選局できるようになるものとして説明したが、例えば、図４のダイレクト選局用データ生成手段にて生成されたダイレクト選局用データを、地上デジタル放送選局用のノーマルモードで利用する選局用データとして登録するようにしてもよい。
【００６１】
そして、このようにすれば、使用者が、リモコン装置４０の放送選択ＳＷ４１を操作して、制御部３０の動作モードを、地上波選局用のノーマルモードに切り換えた際に、制御部３０が、本発明のダイレクト選局モードで動作するようになる。このため、このようにしても、上記実施形態と同様の効果を得られる。
【００６２】
また、上記実施形態では、セーフティモードでチャンネル切換ＳＷ４７（又は３６）が操作されたときの動作については特に説明しなかったが、セーフティモードでチャンネル切換ＳＷ４７（又は３６）が操作されたときには、選局する放送局を、ダイレクト選局用データに登録されている選局チャンネルの中で、選局チャンネルがＵＰ／ＤＯＷＮするよう切り換えるようにすればよい。
【００６３】
また更に、上記実施形態では、リモコン装置４０は、ノーマルモードとセーフティモードとで共通のものが使用されるものとして説明したが、リモコン装置をノーマルモード用とセーフティモード用とに分けて、地上デジタル放送の難視聴地域では、セーフティモード用のリモコン装置を使って、地上デジタル放送とセーフティネットで配信される地上デジタル放送のみを選局できるようにしてもよい。同様に、地上デジタル放送の難視聴地域では、テレビ放送受信装置２をセーフティモードでのみ動作させ、ノーマルモードでは動作させないように、テレビ放送受信装置２の動作モードを固定するモード固定スイッチを内蔵させるようにしてもよい。
【００６４】
また、上記実施形態では、セーフティモードでは、地上波若しくはＢＳ放送で配信される地上デジタル放送の放送信号を選局できるものとして説明したが、このセーフティモードでは、ダイレクト選局用データに登録されていない選局チャンネル（キー番号）に対し、ＢＳ放送或いはＣＳ放送の任意の放送チャンネルを手動で登録することにより、その放送チャンネルについても、セーフティモードでダイレクト選局できるようにしてもよい。
【符号の説明】
【００６５】
２…テレビ放送受信装置、４…ＵＨＦアンテナ、６…衛星受信アンテナ、１０…地上デジタルチューナモジュール、１２，２２…データ復調部、１４…映像信号出力部、１６…音声信号出力部、２０…ＢＳ／ＣＳチューナモジュール、２４…映像出力端子、２６，２８…音声出力端子、３０…制御部、３２…メモリ、３４…放送切換ＳＷ、３６…チャンネル切換ＳＷ、３８…リモコン受信部、４０…リモコン装置、４１，４２，４３…放送選択ＳＷ、４５…数字キー群、４６…チャンネル番号入力選択ＳＷ、４７…チャンネル切換ＳＷ、４８…動作モード切換ＳＷ。
【図１】
2010268398.tif 000003
【図２】
2010268398.tif 000004
【図３】
2010268398.tif 000005
【図４】
2010268398.tif 000006
【図５】
2010268398.tif 000007